(57)【要約】【課題】孔部からの光漏れを抑制する。【解決手段】バックライト装置１２は、冷陰極管１８と、冷陰極管１８を保持するランプクリップ２０と、ランプクリップ２０が装着される底板１４ａを有し、その底板１４ａに取付孔２１が開口して設けられるシャーシ１４と、ランプクリップ２０に設けられるとともに取付孔２１内に進入可能とされ、且つランプクリップ２０のうち冷陰極管１８側に露出する露出部分（ランプ把持部２５、支持ピン２６及び本体部２４の表側部分２４ａ）よりも光の透過率が低い取付部２７とを備える。【選択図】図３
2010009999.tif 000002
【特許請求の範囲】
【請求項１】
ランプと、
前記ランプを保持するランプ保持具と、
前記ランプ保持具が装着される被着面を有し、その被着面に孔部が開口して設けられるシャーシと、
前記ランプ保持具に設けられるとともに前記孔部内に進入可能とされ、且つ前記ランプ保持具のうち前記ランプ側に露出する露出部分よりも光の透過率が低い進入部とを備える照明装置。
【請求項２】
前記露出部分は、前記進入部よりも光の反射率が高くなっている請求項１記載の照明装置。
【請求項３】
前記ランプ保持具は、前記被着面に取り付けられる略板状の本体部を備え、この本体部から前記進入部が突設されており、
前記本体部のうち前記露出部分を除いた部分であって、前記進入部の根元部分は、光の透過率が前記露出部分よりも低くなっている請求項１または請求項２記載の照明装置。
【請求項４】
前記本体部のうち前記露出部分を除いた部分であって、前記孔部と重畳する部分は、光の透過率が前記露出部分よりも低くなっている請求項３記載の照明装置。
【請求項５】
前記本体部のうち前記露出部分を除いた部分であって、前記孔部と重畳する部分よりも広い部分は、光の透過率が前記露出部分よりも低くなっている請求項４記載の照明装置。
【請求項６】
前記本体部は、前記露出部分を含む第１部と、前記第１部に対して前記シャーシ側に積層される第２部とから構成され、前記第２部は、光の透過率が前記第１部よりも低くなっている請求項５記載の照明装置。
【請求項７】
前記第２部は、光の透過率が前記進入部と同じになっている請求項６記載の照明装置。
【請求項８】
前記進入部は、前記ランプと重畳する位置に配されている請求項１から請求項７のいずれか１項に記載の照明装置。
【請求項９】
前記進入部と前記露出部分とは、互いに光の透過率が異なる材料により形成されている請求項１から請求項８のいずれか１項に記載の照明装置。
【請求項１０】
前記ランプ保持具は、互いに光の透過率が異なる材料により二色成形されている請求項９記載の照明装置。
【請求項１１】
前記ランプ保持具は、前記被着面に取り付けられる略板状の本体部を備え、この本体部から前記進入部が突設されており、
前記進入部は、前記本体部との間で前記孔部の縁部を挟持可能とされる請求項１から請求項１０のいずれか１項に記載の照明装置。
【請求項１２】
前記進入部は、前記本体部から前記シャーシ側へ突出する基部と、前記基部から前記本体部に沿う向きに突出する突部とから構成され、前記突部は、前記孔部に挿入されると前記本体部との間で前記孔部の縁部を挟持可能とされている請求項１１記載の照明装置。
【請求項１３】
前記進入部は、前記本体部から前記シャーシ側へ突出する基部と、前記基部から前記本体部に沿う向きに突出する突部とから構成され、前記突部は、前記孔部に挿入された状態から前記本体部に沿う向きにスライドされることで、前記本体部との間で前記孔部の縁部を挟持可能とされている請求項１１記載の照明装置。
【請求項１４】
前記露出部分は、白色とされるのに対し、前記進入部は、黒色とされている請求項１から請求項１３のいずれか１項に記載の照明装置。
【請求項１５】
請求項１から請求項１４のいずれか１項に記載の照明装置と、前記照明装置からの光を利用して表示を行う表示パネルとを備える表示装置。
【請求項１６】
前記表示パネルは、一対の基板間に液晶を封入してなる液晶パネルとされる請求項１５記載の表示装置。
【請求項１７】
請求項１５または請求項１６に記載された表示装置を備えるテレビ受信装置。
【請求項１８】
前記表示装置のうち前記シャーシを覆うキャビネットが備えられ、このキャビネットには、放熱孔が開口して形成されている請求項１７記載のテレビ受信装置。
【発明の詳細な説明】
【技術分野】
【０００１】
本発明は、照明装置、表示装置及びテレビ受信装置に関する。
【背景技術】
【０００２】
従来、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、金属製や樹脂製で液晶パネル側の面が開口したシャーシと、シャーシ内に敷設された反射シートと、ランプとしてシャーシ内に収容される多数本の蛍光管（例えば冷陰極管）と、シャーシの開口部分に配されて冷陰極管が発する光を効率的に液晶パネル側へ放出させるための多数枚の光学部材（拡散シート等）と、細長い管状をなす冷陰極管の中間部分を支持するためのランプクリップとを備える。
【０００３】
このうち、ランプクリップの一例として下記特許文献１に記載されたものが知られている。このものは、シャーシに対して取り付けられるランプクリップを透明な材料により形成することで、ランプクリップの陰による輝度ムラなどを防ぐようにしている。
【特許文献１】特開２００５−３３２８３１公報
【発明の開示】
【発明が解決しようとする課題】
【０００４】
ところで、シャーシにおけるランプクリップの被着面には、ランプクリップを取り付けるための取付孔が開口して形成されているが、上記したようにランプクリップが透明だとランプクリップを透過した光が取付孔を透過する可能性がある。取付孔を透過した光は、シャーシの外部へと漏れてしまい、表示品位を低下させるなどの不具合を生じさせるおそれがあった。
【０００５】
本発明は上記のような事情に基づいて完成されたものであって、孔部からの光漏れを抑制することを目的とする。
【課題を解決するための手段】
【０００６】
本発明の照明装置は、ランプと、前記ランプを保持するランプ保持具と、前記ランプ保持具が装着される被着面を有し、その被着面に孔部が開口して設けられるシャーシと、前記ランプ保持具に設けられるとともに前記孔部内に進入可能とされ、且つ前記ランプ保持具のうち前記ランプ側に露出する露出部分よりも光の透過率が低い進入部とを備える。
【０００７】
このようにすれば、ランプ保持具のうちランプ側に露出する露出部分を光が透過したとしても、シャーシの孔部内に進入する進入部が露出部分よりも光の透過率が低くなっているから、光が孔部を透過し難くなる。
【０００８】
本発明の実施態様として、次の構成が好ましい。
（１）前記露出部分は、前記進入部よりも光の反射率が高くなっている構成とする。このようにすれば、ランプに対して露出する露出部分の光の反射率を高くすることで、光の利用効率を向上させることができる。
【０００９】
（２）前記ランプ保持具は、前記被着面に取り付けられる略板状の本体部を備え、この本体部から前記進入部が突設されており、前記本体部のうち前記露出部分を除いた部分であって、前記進入部の根元部分は、光の透過率が前記露出部分よりも低くなっている構成とする。このようにすれば、光が孔部をより透過し難くなる。
【００１０】
（３）前記本体部のうち前記露出部分を除いた部分であって、前記孔部と重畳する部分は、光の透過率が前記露出部分よりも低くなっている構成とする。このようにすれば、光が孔部をさらに透過し難くなる。
【００１１】
（４）前記本体部のうち前記露出部分を除いた部分であって、前記孔部と重畳する部分よりも広い部分は、光の透過率が前記露出部分よりも低くなっている構成とする。このようにすれば、光が孔部をより一層透過し難くなる。
【００１２】
（５）前記本体部は、前記露出部分を含む第１部と、前記第１部に対して前記シャーシ側に積層される第２部とから構成され、前記第２部は、光の透過率が前記第１部よりも低くなっている構成とする。このようにすれば、本体部が光の透過率が互いに異なる第１部と第２部との積層構造となるから、本体部の全体を光が透過し難くなり、孔部からの光漏れをより確実に防ぐことができる。
【００１３】
（６）前記第２部は、光の透過率が前記進入部と同じになっている構成とする。このようにすれば、仮に第２部と進入部とで光の透過率を異ならせた場合と比べて、製造が容易なものとなる。
【００１４】
（７）前記進入部は、前記ランプと重畳する位置に配されている構成とする。このようにすれば、ランプと進入部が進入する孔部との距離が最短となり、孔部からの光漏れが懸念されるものの、進入部によって孔部への光の透過を規制できるから、特に有効である。
【００１５】
（８）前記進入部と前記露出部分とは、互いに光の透過率が異なる材料により形成されている構成とする。このように、進入部と露出部分とで材料自体を異ならせているから、例えばランプ保持具に塗料を塗布することで透過率を異ならせた場合、塗料の剥離などによって透過率が変化し得るが、そのような事態が生じることがない。
【００１６】
（９）前記ランプ保持具は、互いに光の透過率が異なる材料により二色成形されている構成とする。このようにすれば、仮に複数の部品を組み付けてランプ保持具を製造した場合と比べて、ランプ保持具の製造を容易に行うことができる。
【００１７】
（１０）前記ランプ保持具は、前記被着面に取り付けられる略板状の本体部を備え、この本体部から前記進入部が突設されており、前記進入部は、前記本体部との間で前記孔部の縁部を挟持可能とされる構成とする。このようにすれば、進入部と本体部との間で孔部の縁部が挟持されることで、ランプ保持具がシャーシに対して装着状態に保持される。
【００１８】
（１１）前記進入部は、前記本体部から前記シャーシ側へ突出する基部と、前記基部から前記本体部に沿う向きに突出する突部とから構成され、前記突部は、前記孔部に挿入されると前記本体部との間で前記孔部の縁部を挟持可能とされている構成とする。このようにすれば、ランプ保持具をシャーシに対して押し込むことで取り付けるタイプのものに好適となる。
【００１９】
（１２）前記進入部は、前記本体部から前記シャーシ側へ突出する基部と、前記基部から前記本体部に沿う向きに突出する突部とから構成され、前記突部は、前記孔部に挿入された状態から前記本体部に沿う向きにスライドされることで、前記本体部との間で前記孔部の縁部を挟持可能とされている構成とする。このようにすれば、ランプ保持具をシャーシに対してスライドさせることで取り付けるタイプのものに好適となる。
【００２０】
（１３）前記露出部分は、白色とされるのに対し、前記進入部は、黒色とされている構成とする。このようにすれば、ランプ側に露出する露出部分を白色とすることで光を効率的に反射させることができるとともに、孔部内に進入する進入部を黒色とすることで孔部への光の透過を良好に規制できる。
【００２１】
次に、上記課題を解決するために、本発明の表示装置は、上記記載の照明装置と、前記照明装置からの光を利用して表示を行う表示パネルとを備える。
【００２２】
このような表示装置によると、表示パネルに対して光を供給する照明装置が、不要な光漏れを生じさせ難いものであるから、表示品質の優れた表示を実現することが可能となる。
【００２３】
前記表示パネルとしては液晶パネルを例示することができる。このような表示装置は液晶表示装置として、種々の用途、例えばテレビやパソコンのディスプレイ等に適用でき、特に大型画面用として好適である。
【００２４】
次に、上記課題を解決するために、本発明のテレビ受信装置は、上記記載の表示装置を備える。
【００２５】
このようなテレビ受信装置によると、表示パネルが表示品質に優れたものであるから、テレビ画像の表示品質を良好なものとすることができる。
【００２６】
さらには、前記テレビ受信装置には、前記表示装置のうち前記シャーシを覆うキャビネットが備えられ、このキャビネットには、放熱孔が開口して形成されている。
【００２７】
このようにすれば、シャーシを覆うキャビネットの放熱孔からの光漏れが懸念されるが、シャーシの孔部からの光漏れが抑制されているので、特に有効である。
【発明の効果】
【００２８】
本発明によれば、孔部からの光漏れを抑制することができる。
【発明を実施するための最良の形態】
【００２９】
＜実施形態１＞
本発明の実施形態１を図１から図７によって説明する。本実施形態では、液晶パネル１１を備える液晶表示装置１０について例示する。なお、以下では、図２及び図３に示す上側を表側とし、同図下側を裏側として説明する。
【００３０】
液晶表示装置１０は、全体として横長な矩形状をなし、図２に示すように、画像を表示可能な表示パネルである液晶パネル１１の裏側（背面側）に、液晶パネル１１に向けて光を照射可能な外部光源（照明装置）であるバックライト装置１２を配置してなり、これらが枠状のベゼル１３などによって一体的に保持される。この液晶表示装置１０は、テレビ受信装置ＴＶに適用することができる。テレビ受信装置ＴＶは、図１に示すように、液晶表示装置１０と、液晶表示装置１０を挟むようにして収容する表裏両キャビネットＣａ，Ｃｂと、電源Ｐと、テレビ放送などを受信するためのチューナーＴと、スタンドＳとを備えて構成される。このうち、裏側のキャビネットＣｂには、テレビ受信装置ＴＶの内外の空気を流通させて液晶表示装置１０などから発せられる熱を排出するための放熱孔Ｈが多数個並列した状態で内外に開口して形成されている。放熱孔Ｈは、縦長な長円形状をなしている。
【００３１】
液晶パネル１１は、図２に示すように、横長な矩形状をなす一対の透明な（透光性を有する）ガラス製の基板と、両基板間に介在し、電界印加に伴って光学特性が変化する物質である液晶分子を含む液晶層（図示せず）とを備え、両基板が液晶層の厚さ分のギャップを維持した状態で図示しないシール剤によって貼り合わせられている。
【００３２】
両基板のうち表側（正面側）がＣＦ基板とされ、裏側（背面側）がアレイ基板とされる。アレイ基板における内面側（液晶層側、ＣＦ基板との対向面側）には、スイッチング素子であるＴＦＴ（Thin Film Transistor）及び画素電極が多数個並んで設けられるとともに、これらＴＦＴ及び画素電極の周りには、格子状をなすゲート配線及びソース配線が取り囲むようにして配設されている。画素電極は、ＩＴＯ（Indium Tin Oxide）或いはＺｎＯ（Zinc Oxide）といった透明電極からなる。
【００３３】
一方、ＣＦ基板には、各画素に対応した位置に多数個のカラーフィルタが並んで設けられている。カラーフィルタは、Ｒ，Ｇ，Ｂの三色が交互に並ぶ配置とされる。各カラーフィルタ間には、混色を防ぐための遮光層（ブラックマトリクス）が形成されている。カラーフィルタ及び遮光層の表面には、アレイ基板側の画素電極と対向する対向電極が設けられている。また、両基板の内面側には、液晶層に含まれる液晶分子を配向させるための配向膜がそれぞれ形成されている。また、両基板の外面側には、偏光板がそれぞれ貼り付けられている。
【００３４】
バックライト装置１２は、図２に示すように、液晶パネル１１の背面直下に光源が配置されてなる、いわゆる直下型のバックライトであり、表側（光出射側）に開口した略箱型をなすシャーシ１４と、シャーシ１４内に敷設される反射シート１５と、シャーシ１４の開口部分に取り付けられる光学部材１６と、光学部材１６を固定するためのフレーム１７と、シャーシ１４内に収容される複数本の冷陰極管１８と、冷陰極管１８における両端部を保持する一対のホルダ１９と、冷陰極管１８における中間部分を保持する複数のランプクリップ２０とから構成されている。
【００３５】
シャーシ１４は、金属製とされ、液晶パネル１１と同様の横長な矩形状をなす底板１４ａと、底板１４ａの周縁から立ち上がる側板とから構成されている。このうち、底板１４ａは、図３に示すように、ランプクリップ２０が装着される被着面を構成しており、ここにランプクリップ２０を取付可能な取付孔２１が複数設けられている。取付孔２１は、図３及び図４に示すように、平面に視て円形状をなすとともに、１つのランプクリップ２０に対応して一対用意され、底板１４ａにおいて各ランプクリップ２０の取付予定位置に配置されている。シャーシ１４の裏側には、図３に示すように、各冷陰極管１８に駆動電力を供給するインバータ基板２２が配され、このインバータ基板２２がシャーシ１４に対して図示しない固定手段によって固定されている。また、インバータ基板２２のさらに裏側には、テレビ受信装置ＴＶを構成する裏側のキャビネットＣｂが配されており、シャーシ１４の全体がキャビネットＣｂによって裏側から覆われている。
【００３６】
反射シート１５は、光の反射性に優れた白色を呈する合成樹脂製とされており、シャーシ１４の内面のほぼ全域を覆う形で敷設されている。この反射シート１５により、各冷陰極管１８から発せられる光の殆どをシャーシ１４の開口側へと導くことができるものとされている。反射シート１５には、シャーシ１４に対するランプクリップ２０の取付構造である取付部２７を挿通可能な複数の挿通孔２３が設けられている。各挿通孔２３は、シャーシ１４における各取付孔２１に対応した位置に配されており、詳しくは反射シート１５をシャーシ１４に敷設した状態で各取付孔２１に対して平面に視て重畳する配置とされている。また挿通孔２３は、平面に視て円形状をなし、その径寸法が取付孔２１よりも少し大きくなっている。冷陰極管１８は、線状光源（管状光源）の一種であり、図２に示すように、その軸方向をシャーシ１４の長辺方向と一致させた姿勢でシャーシ１４内に取り付けられており、複数本が互いの軸を略平行にし、且つ互いの間に所定の間隔を空けた状態で並べられている。ホルダ１９は、光の反射性に優れた白色を呈する合成樹脂製とされ、冷陰極管１８のうち電極が設置された端部（非発光部）を覆うとともに、シャーシ１４の短辺方向に沿って延びる細長い略箱型をなしている。
【００３７】
光学部材１６は、その短辺縁部がホルダ１９とフレーム１７との間で挟持されるのに対し、長辺縁部がシャーシ１４とフレーム１７との間で挟持されることで、固定がなされている。光学部材１６は、図３に示すように、シャーシ１４の開口部を覆うようにして配される拡散板１６ａと、拡散板１６ａと液晶パネル１１との間に配される複数の光学シート１６ｂとからなる。拡散板１６ａは、合成樹脂製の板状部材に光散乱粒子が分散配合されてなり、管状光源たる冷陰極管１８から出射される線状の光を拡散する機能を有する。拡散板１６ａ上に配される光学シート１６ｂは、拡散板１６ａ側から順に、例えば拡散シート、レンズシート、反射型偏光板が積層されたものであり、冷陰極管１８から出射され、拡散板１６ａを通過した光を面状の光とする機能を有する。
【００３８】
ここで、ランプクリップ２０について詳細に説明する。ランプクリップ２０は、合成樹脂製（例えばポリカーボネート製）とされており、シャーシ１４（反射シート１５）の底板１４ａに沿った略板状をなし平面視略矩形の本体部２４（取付板、ベース部）を備える。ランプクリップ２０は、図２に示すように、シャーシ１４に対して、本体部２４の長辺方向がシャーシ１４の短辺方向とほぼ平行な姿勢、すなわち冷陰極管１８の軸方向と直交する方向とほぼ平行な姿勢（向き、状態）で取り付けられる。このランプクリップ２０は、シャーシ１４の底板１４ａにおいて複数分散した位置に設置されている。
【００３９】
本体部２４における表側の面（拡散板１６ａや冷陰極管１８側を向いた面、シャーシ１４側とは反対側の面）には、図３及び図５に示すように、冷陰極管１８を所定高さ位置に支持するためのランプ把持部２５と、拡散板１６ａを冷陰極管１８よりも高い位置に支持するための支持ピン２６とがそれぞれ設けられている。ランプ把持部２５は、本体部２４の長辺方向について離間した位置に一対並んで設置されており、それぞれが異なる冷陰極管１８を把持する。支持ピン２６は、本体部２４における長辺方向及び短辺方向の中央位置で且つ両ランプ把持部２５間のほぼ中間位置に配されている。言い換えると、各ランプ把持部２５と支持ピン２６との間の距離は、ほぼ等しくなっている。
【００４０】
一方、本体部２４における裏側の面（シャーシ１４や反射シート１５側を向いた面、拡散板１６ａや冷陰極管１８側とは反対側の面）には、ランプクリップ２０をシャーシ１４に対して取付状態に保持するための取付部２７が一対設けられている。両取付部２７は、本体部２４における長辺方向に離間した位置で且つ上記した両ランプ把持部２５と対応した位置に配されている。詳しくは、両取付部２７は、両ランプ把持部２５に対して本体部２４の長辺方向及び短辺方向、つまり本体部２４の板面方向についてほぼ同じ位置に配されており、平面に視て重畳する位置に配されている。言い換えると、両取付部２７は、両ランプ把持部２５に対して真裏位置（直下位置）に配されている。さらに別言すると、両取付部２７は、両ランプ把持部２５によってそれぞれ保持された冷陰極管１８に対しても平面に見て重畳する位置に配されており、両取付部２７間の間隔が冷陰極管１８間のピッチとほぼ一致していることになる。この取付部２７は、本体部２４の板面方向についての大きさ（平面に視た大きさ）が本体部２４よりも小さいものの、取付孔２１よりは少し大きくなるよう形成されている。
【００４１】
続いて、ランプ把持部２５の構造について詳しく説明する。ランプ把持部２５は、図３に示すように、冷陰極管１８のうち電極が設置された両端部間の中間部分、つまり発光部を、反射シート１５から僅かに浮いた高さ位置に裏側から支持することができる。ランプ把持部２５は、全体として表側へ開口した有端環状をなし、互いに対向する一対のアーム部２８を備える。両アーム部２８の先端部間には、図３に示す上下方向（シャーシ１４の底板１４ａの板面と直交する方向）に沿って着脱される冷陰極管１８の通過を許容する開口部２９が確保されている。両アーム部２８は、本体部２４における表側の面において長辺方向について離間した位置からそれぞれ立ち上がる片持ち状をなしており、略円弧状に湾曲した形状となっている。この両アーム部２８における曲率は、取り付けられる冷陰極管１８の外周面の曲率と概ね一致しており、取付状態において冷陰極管１８との間に生じる隙間が周方向についてほぼ一定幅となる。両アーム部２８は、本体部２４からの立ち上がり基端部を支点として本体部２４の長辺方向に沿って弾性変形可能とされる。
【００４２】
両アーム部２８の先端部の内面（冷陰極管１８との対向周面）には、冷陰極管１８を保持するための保持突起３０がそれぞれ設けられており、それら両保持突起３０間に上記した開口部２９が確保されている。この開口部２９における間口は、冷陰極管１８の外径寸法よりも少し狭くなる設定とされる。従って、開口部２９を通して冷陰極管１８を着脱する際には、両アーム部２８は冷陰極管１８によって押されることで弾性的に拡開変形されるようになっている。保持突起３０は、アーム部２８の先端部の内面から内向きに（冷陰極管１８における中心軸線側に向かって）張り出す形態とされるとともに、冷陰極管１８を表側（光出射側）から覆うような位置、つまり冷陰極管１８に対してその抜け方向側に位置している。取付状態では、冷陰極管１８は、ランプ把持部２５における底面のうち冷陰極管１８の中心の直下に位置する中央の第１支持点と、両保持突起３０の内端の第２支持点及び第３支持点とによって三点支持されるようになっており、各支持点間においては冷陰極管１８の外周面とランプ把持部２５の内周面との間に周方向に延びる僅かな隙間（クリアランス）が空けられるようになっている。
【００４３】
両アーム部２８の先端部における外面には、冷陰極管１８の取り付け動作をガイドするためのガイド部３１がそれぞれ設けられている。両ガイド部３１は、アーム部２８から斜め外向きに立ち上がった先細り状に形成されている。両ガイド部３１は、突出基端から突出先端にかけて互いに離間するような勾配を有しており、冷陰極管１８と対向する内面も同様の勾配の傾斜面となっている。従って、両ガイド部３１における対向面である内面間の間隔は、同図下側、つまり冷陰極管１８の取付方向側に行くに連れて次第に狭く、逆に冷陰極管１８の取り外し方向側に行くに連れて次第に広くなっている。これにより、両ガイド部３１の内面によって冷陰極管１８の取り付け動作を円滑に案内することができるようになっている。また、ガイド部３１の内面は、そのまま保持突起３０の内面へとなだらかに繋げられている。
【００４４】
次に、支持ピン２６の構造について詳しく説明する。支持ピン２６は、図３に示すように、拡散板１６ａのうちホルダ１９などによって支持された外周縁部よりも画面中央側部分を裏側から支持することで、拡散板１６ａが冷陰極管１８側へ撓んだり反ったりするのを規制することができる。支持ピン２６は、水平方向に沿って切断した断面形状が円形とされ（図５）、根元側から先端側に行くに連れて次第に径寸法が小さくなる、先細り状に形成されている。つまり、支持ピン２６は、略円錐状に形成されている。支持ピン２６のうち拡散板１６ａに当接し得る先端部には、Ｒ面が形成され、丸められている。本体部２４からの支持ピン２６の突出高さは、ランプ把持部２５よりも高く設定されており、支持ピン２６は、ランプクリップ２０において最も高い位置に突出する部位となっている。従って、ランプクリップ２０をシャーシ１４に対して着脱する作業を行う際には、作業者は支持ピン２６を掴んで作業を行うことが可能となっており、支持ピン２６は着脱時の操作部としても機能し得る。
【００４５】
続いて、取付部２７の構造について詳しく説明する。取付部２７は、図３に示すように、本体部２４の裏側の面から突出する基部３２と、基部３２の先端から本体部２４側に折り返されて基部３２の側方に対向する一対の突部３３とから構成されている。基部３２は、本体部２４の裏側の面からほぼ垂直に突出しており、その突出方向が本体部２４の板面と直交する方向と一致している。基部３２は、断面形状が矩形の略角柱状をなしており、その長辺方向が本体部２４における短辺方向と一致している。
【００４６】
一対の突部３３は、基部３２の突出先端部における長辺側の両側面から突出する片持ち状にそれぞれ形成されており、本体部２４における長辺方向について互いに逆向きに突出している。従って、両突部３３は、基部３２を挟んで本体部２４における長辺方向に並んで配されていることになる。突部３３は、基端部から自由端部にかけて次第に基部３２から離間するよう斜め姿勢をなしており、基端部を支点として基部３２に対して接離する方向（本体部２４の長辺方向）に沿って弾性変形可能とされる。突部３３の先端部は、比較的基部３２に近い内側部分３３ａに対して外側部分３３ｂの方が低い段付き状に形成されており、シャーシ１４への取付状態ではこのうち内側部分３３ａがシャーシ１４の取付孔２１内に進入するのに対し、外側部分３３ｂが取付孔２１の外側に配される。この外側部分３３ｂにおける本体部２４に対して対向する面が、シャーシ１４の孔縁に対して裏側から係止可能な係止面３３ｃとなっている。本体部２４と係止面３３ｃとの間の間隔は、シャーシ１４と反射シート１５との厚さ寸法を足し合わせたものとほぼ同じ程度となっている。
【００４７】
さて、このランプクリップ２０は、光の透過率及び反射率が共に異なる２種類の材料によって二色成形されている。そして、ランプクリップ２０のうち、冷陰極管１８側（光学部材１６側）に露出する部分は、光の透過率及び反射率が比較的高い第１の材料からなるのに対し、取付部２７を含み且つシャーシ１４側を向いた部分は、光の透過率及び反射率が比較的低い第２の材料からなる。
【００４８】
第１の材料及び第２の材料としては、例えば同じポリカーボネート樹脂が用いられるものの、その色が第１の材料と第２の材料とで異なっており、それにより第１の材料と第２の材料とでは光の透過率及び反射率が相違している。第１の材料は、光の反射性に優れた白色とされるのに対し、第２の材料は、遮光性に優れた黒色とされる。具体的には、第１の材料となる白色樹脂としては、住友ダウ株式会社製の「ＬＲ８０３１Ｖ」（光反射率：９８％〜９９％、光透過率：０．５％〜１．２％）や三菱エンジニアリングプラスチックス株式会社製の「ＥＨＲ３１００」（光反射率：９７％、光透過率：１％）を用いることができる。また、第２の材料となる黒色樹脂としては、住友ダウ株式会社製の「８７６−２０」（光反射率：１０％、光透過率：０％）や三菱エンジニアリングプラスチックス株式会社製の「ＥＦＲ３０００」（光反射率：５．７２％、光透過率：０％）を用いることができる。このように、第１の材料となる白色樹脂は、光の反射率が極めて高いものの、僅かながらも光を透過する材料であるのに対し、第２の材料となる黒色樹脂は、光の反射率は相対的に低いものの、光を全く透過しない材料となっている。
【００４９】
ランプクリップ２０のうち冷陰極管１８側に露出する部分（バックライト装置１２における光出射側（光学部材１６側）を向いた部分）、つまりランプ把持部２５と支持ピン２６と本体部２４における表側部分２４ａとが上記した第１の材料からなるのに対し、ランプクリップ２０のうちシャーシ１４側を向いた部分、つまり取付部２７と本体部２４における裏側部分２４ｂとが第２の材料からなる。特に本体部２４については、第１の材料からなる表側部分２４ａである第１部３４と、第２の材料からなる裏側部分２４ｂである第２部３５とに分けられ、これらを表裏に積層した二重の積層構造となっている。本体部２４における第１部３４と第２部３５との境界位置は、厚さ方向のほぼ中央位置となっており、第１部３４と第２部３５との厚さ寸法は、互いにほぼ等しくなっている。ランプ把持部２５及び支持ピン２６は、本体部２４のうち第１部３４と一体成形されているのに対し、取付部２７は、本体部２４のうち第２部３５と一体成形されている。
【００５０】
そして、ランプクリップ２０をシャーシ１４に取り付けた状態では、図３及び図６に示すように、第２の材料からなる各取付部２７が各取付孔２１内に進入されるとともに、裏側部分２４ｂが第２の材料からなる第２部３５とされた本体部２４によって各取付孔２１が表側から塞がれる。この本体部２４は、平面に視た大きさが取付孔２１よりも十分に大きくなっているので、シャーシ１４のうち取付孔２１及びその周縁部を含んだ所定の領域を表側から覆うことができる。これにより、本体部２４の第１部３４を僅かながらも光が透過したとしても、その光が取付孔２１に到達するのを確実に防ぐことができる。この状態でランプクリップ２０のうち冷陰極管１８側に露出するランプ把持部２５、支持ピン２６及び本体部２４の表側部分２４ａである第１部３４は、全て第１の材料によって形成されているので、冷陰極管１８から発せられた光を良好に光学部材１６側へ反射させることができる。
【００５１】
本実施形態は以上のような構造であり、続いてその作用を説明する。液晶パネル１１及びバックライト装置１２をそれぞれ別途に製造し、それらをベゼル１３などを用いて互いに組み付けることで、図２に示す液晶表示装置１０が製造される。続いて、バックライト装置１２の組み付け作業、特にランプクリップ２０をシャーシ１４に取り付ける作業について詳しく説明する。
【００５２】
図７に示すように、シャーシ１４の内側に反射シート１５を敷設すると、各挿通孔２３内に対応する各取付孔２１が臨むよう位置合わせされるので、続いて各ランプクリップ２０をシャーシ１４に取り付ける作業を行う。ランプクリップ２０のうち支持ピン２６を掴んだら、各取付部２７をシャーシ１４の底板１４ａにおける取付予定位置の各取付孔２１に位置合わせしつつ、本体部２４を表側からシャーシ１４の底板１４ａへ向けて押し込むようにする。すると、各取付部２７が先端側から各取付孔２１内に挿入されるとともに、突部３３が取付孔２１の表側の縁部に干渉することで、一旦基部３２に接近するよう（窄むよう）弾性変形される。
【００５３】
本体部２４における裏側の面がシャーシ１４の底板１４ａに当接する深さまでランプクリップ２０が押し込まれると、突部３３の先端部における外側部分３３ｂが底板１４ａの裏側に突出するとともに突部３３が復元し、図３に示すように、外側部分３３ｂの係止面３３ｃが取付孔２１の裏側の縁部に対して係止される。これにより、シャーシ１４の底板１４ａのうち取付孔２１の縁部と、反射シート１５の挿通孔２３の縁部とが、取付部２７の突部３３と本体部２４との間で挟持され、もってランプクリップ２０がシャーシ１４に対して反射シート１５を介在させた状態で取付状態に保持される。この取付状態では、取付部２７のうち、基部３２の突出基端部と、突部３３の先端部における内側部分３３ａとが取付孔２１内に進入している。
【００５４】
上記のようにしてランプクリップ２０を取り付けた後、各ランプ把持部２５に対して各冷陰極管１８を取り付け、それからホルダ１９を取り付ける。その後、拡散板１６ａ及び各光学シート１６ｂを積層設置し、バックライト装置１２を組み付けたら、その表側からさらに液晶パネル１１を載置した後、ベゼル１３を組み付けることで、液晶表示装置１０が組み付けられる。
【００５５】
以上のようにして組み付けた液晶表示装置１０に画像を表示する場合は、バックライト装置１２の各冷陰極管１８を点灯させるとともに、液晶パネル１１に対して画像信号を供給する。このとき、冷陰極管１８から発せられた線状の光は、光学部材１６に対して直接または反射シート１５やランプクリップ２０にて反射されてから照射されるとともに、光学部材１６を透過する過程で面状の光に変換され、それから液晶パネル１１へと照射される。このとき、ランプクリップ２０のうち冷陰極管１８側に露出する部分（ランプ把持部２５、支持ピン２６及び本体部２４の表側部分２４ａ）は、取付部２７などを構成する第２の材料よりも光の反射率が高い第１の材料によって構成されているので、光を光学部材１６側へ向けて良好に反射させることができ、光の利用効率に優れる。
【００５６】
ところで、ランプクリップ２０のうち、冷陰極管１８側に露出する部分は、光の反射性に優れた白色樹脂である第１の材料によって形成されているのであるが、この第１の材料は、光の反射性に優れる反面、僅かながらも透光性を有している。このため、冷陰極管１８から発せられた光のうち、ランプクリップ２０に当たった光は、その殆どが反射されるものの、一部については、第１の材料からなるランプ把持部２５、支持ピン２６及び本体部２４の表側部分２４ａ（第１部３４）を透過し得る。仮に、ランプクリップ２０を透過した光が取付孔２１内に進入すると、そのままシャーシ１４の裏側へ抜けてしまい、光が外部に漏れる事態が懸念される。
【００５７】
ところが、本実施形態では、ランプクリップ２０のうち取付孔２１内に進入した取付部２７と、取付孔２１を表側から閉塞する本体部２４の裏側部分２４ｂ（第２部３５）とが、遮光性に優れ透光性を有さない黒色樹脂である第２の材料によって形成されているから、ランプクリップ２０のうち冷陰極管１８側に露出した部分を光が透過しても、その光が取付孔２１に到達する前の段階で遮光することができる。これにより、シャーシ１４内の光が取付孔２１を透過して裏側外部に漏れ出すのを確実に防止できる。もって、テレビ受信装置ＴＶにおいて裏側のキャビネットＣｂに開口形成された放熱孔Ｈから光漏れが生じることがなく、テレビ受信装置ＴＶを暗い室内などで使用した場合にも、優れた品位の表示をさせることができる。
【００５８】
以上説明したように本実施形態によれば、バックライト装置１２は、冷陰極管１８と、冷陰極管１８を保持するランプクリップ２０と、ランプクリップ２０が装着される底板１４ａを有し、その底板１４ａに取付孔２１が開口して設けられるシャーシ１４と、ランプクリップ２０に設けられるとともに取付孔２１内に進入可能とされ、且つランプクリップ２０のうち冷陰極管１８側に露出する露出部分（ランプ把持部２５、支持ピン２６及び本体部２４の表側部分２４ａ）よりも光の透過率が低い取付部２７とを備える。
【００５９】
このようにすれば、ランプクリップ２０のうち冷陰極管１８側に露出する露出部分を光が透過したとしても、シャーシ１４の取付孔２１内に進入する取付部２７が露出部分よりも光の透過率が低くなっているから、光が取付孔２１を透過し難くなる。もって、取付孔２１からの光漏れを抑制することができる。
【００６０】
また、露出部分は、取付部２７よりも光の反射率が高くなっている。このようにすれば、冷陰極管１８に対して露出する露出部分の光の反射率を高くすることで、光の利用効率を向上させることができる。
【００６１】
また、ランプクリップ２０は、底板１４ａに取り付けられる略板状の本体部２４を備え、この本体部２４から取付部２７が突設されており、本体部２４のうち露出部分を除いた部分であって、取付部２７の根元部分は、光の透過率が露出部分よりも低くなっている。このようにすれば、取付部２７に加えて根元部分によっても取付孔２１への光の透過を規制でき、光が取付孔２１をより透過し難くなる。
【００６２】
また、本体部２４のうち露出部分を除いた部分であって、取付孔２１と重畳する部分は、光の透過率が露出部分よりも低くなっている。このようにすれば、取付部２７及びその根元部分に加えて取付孔２１と重畳する部分によっても取付孔２１への光の透過を規制でき、光が取付孔２１をさらに透過し難くなる。
【００６３】
また、本体部２４のうち露出部分を除いた部分であって、取付孔２１と重畳する部分よりも広い部分は、光の透過率が露出部分よりも低くなっている。このようにすれば、取付部２７、その根元部分及び取付孔２１と重畳する部分に加えてさらに広い範囲に及ぶ部分によっても取付孔２１への光の透過を規制でき、光が取付孔２１をより一層透過し難くなる。
【００６４】
また、本体部２４は、露出部分を含む第１部３４と、第１部３４に対してシャーシ１４側に積層される第２部３５とから構成され、第２部３５は、光の透過率が第１部３４よりも低くなっている。このようにすれば、本体部２４が光の透過率が互いに異なる第１部３４と第２部３５との積層構造となっており、第２部３５が本体部２４の板面方向について全域にわたる範囲に形成されているから、本体部２４の全体を光が透過し難くなり、取付孔２１からの光漏れをより確実に防ぐことができる。
【００６５】
また、第２部３５は、光の透過率が取付部２７と同じになっている。このようにすれば、仮に第２部３５と取付部２７とで光の透過率を異ならせた場合と比べて、製造が容易なものとなる。
【００６６】
また、取付部２７は、冷陰極管１８と重畳する位置に配されている。このようにすれば、冷陰極管１８と取付部２７が進入する取付孔２１との距離が最短となり、取付孔２１からの光漏れが懸念されるものの、取付部２７によって取付孔２１への光の透過を規制できるから、特に有効である。
【００６７】
また、取付部２７と露出部分とは、互いに光の透過率が異なる材料により形成されている。このように、取付部２７と露出部分とで材料自体を異ならせているから、例えばランプクリップ２０に塗料を塗布することで透過率を異ならせた場合、塗料の剥離などによって透過率が変化し得るが、そのような事態が生じることがない。
【００６８】
また、ランプクリップ２０は、互いに光の透過率が異なる材料により二色成形されている。このようにすれば、仮に複数の部品を組み付けてランプクリップ２０を製造した場合と比べて、ランプクリップ２０の製造を容易に行うことができる。
【００６９】
また、ランプクリップ２０は、底板１４ａに取り付けられる略板状の本体部２４を備え、この本体部２４から取付部２７が突設されており、取付部２７は、本体部２４との間で取付孔２１の縁部を挟持可能とされる。このようにすれば、取付部２７と本体部２４との間で取付孔２１の縁部が挟持されることで、ランプクリップ２０がシャーシ１４に対して装着状態に保持される。
【００７０】
また、取付部２７は、本体部２４からシャーシ１４側へ突出する基部３２と、基部３２から本体部２４に沿う向きに突出する突部３３とから構成され、突部３３は、取付孔２１に挿入されると本体部２４との間で取付孔２１の縁部を挟持可能とされている。このようにすれば、ランプクリップ２０をシャーシ１４に対して押し込むことで取り付けるタイプのものに好適となる。
【００７１】
また、露出部分は、白色とされるのに対し、取付部２７は、黒色とされている。このようにすれば、冷陰極管１８側に露出する露出部分を白色とすることで光を効率的に反射させることができるとともに、取付孔２１内に進入する取付部２７を黒色とすることで取付孔２１への光の透過を良好に規制できる。
【００７２】
また、上記した構成のバックライト装置１２と、バックライト装置１２からの光を利用して表示を行う液晶パネル１１とを備える液晶表示装置１０のうち、シャーシ１４がテレビ受信装置ＴＶの一部であるキャビネットＣｂによって覆われ、このキャビネットＣｂに放熱孔Ｈが開口して形成されている。このようにすれば、シャーシ１４を覆うキャビネットＣｂの放熱孔Ｈからの光漏れが懸念されるが、シャーシ１４の取付孔２１からの光漏れが抑制されているので、特に有効である。
【００７３】
＜実施形態２＞
本発明の実施形態２を図８から図１２によって説明する。この実施形態２では、シャーシ１４‐Ａに対するランプクリップ２０‐Ａの取付構造を変更したものを示す。なお、この実施形態２では、上記した実施形態１から変更した部位には、同一の符号を用いるとともにその末尾に添え字‐Ａを付すものとし、構造、作用及び効果について重複する説明は省略する。
【００７４】
本実施形態では、ランプクリップ２０‐Ａの取付構造として、ランプクリップ２０‐Ａをシャーシ１４‐Ａに対してスライドさせることで取り付けるタイプのものを採用している。具体的には、本体部２４‐Ａの裏側の面に設けられた一対の取付部３６，３７は、図８に示すように、共に本体部２４‐Ａの裏面（板面）に沿ったフック状をなしている。なお、以下では両取付部３６，３７のうち、図８に示す左側のものを第１取付部３６とし、同図右側のものを第２取付部３７とする。
【００７５】
先に両取付部３６，３７の共通構造について説明する。第１取付部３６と第２取付部３７は、本体部２４‐Ａの裏面から突出する基部３６ａ，３７ａと、基部３６ａ，３７ａの先端からほぼ直角に屈曲されて本体部２４‐Ａの長辺方向に沿って突出（延出）する片持ち状の突部３６ｂ，３７ｂとをそれぞれ備え、正面から見て略Ｌ字型をなしている。基部３６ａ，３７ａは、断面形状が矩形の略角柱状をなしており、その長辺方向が本体部２４‐Ａにおける短辺方向と一致している。突部３６ｂ，３７ｂは、本体部２４‐Ａの板面とほぼ平行をなしており、基部３６ａ，３７ａに連なる基端部を支点として本体部２４‐Ａに対して接離する方向（図８に示す上下方向）に沿って弾性変形可能とされる。この基部３６ａ，３７ａからの突部３６ｂ，３７ｂの突出方向が、シャーシ１４‐Ａに対してランプクリップ２０‐Ａを取り付ける際のスライド方向と一致している。基部３６ａ，３７ａ及び突部３６ｂ，３７ｂは、本体部２４‐Ａの短辺方向についての寸法がほぼ同一とされ、その大きさは本体部２４‐Ａの短辺寸法よりも小さくなっている。
【００７６】
次に、第１取付部３６及び第２取付部３７の相違構造について説明する。第１取付部３６については、突部３６ｂの先端から本体部２４‐Ａ側へ突出する係止突部３９がそれぞれ設けられている。係止突部３９のうち本体部２４‐Ａとの対向面には、テーパ面が形成されている。係止突部３９のうち基部３６ａとの対向面は、基部３６ａの外面とほぼ平行で直立していて、シャーシ１４‐Ａに対するランプクリップ２０‐Ａのスライド方向と直交する方向に沿ってほぼ真っ直ぐな面となっており、ここがシャーシ１４‐Ａの係止孔４２に対する係止面となっている。一方、第２取付部３７については、突部３７ｂの先端にシャーシ１４‐Ａへの取り付け動作をガイド可能なガイド部３８が設けられている。ガイド部３８は、先端側に行くに連れて本体部２４‐Ａから離れるような勾配をもって形成されている。さらには、本体部２４‐Ａの長辺方向についての配置に関して、第１取付部３６における基部３６ａは、表側に対応するランプ把持部２５‐Ａに対して支持ピン２６‐Ａ寄りに偏心した位置に配されているのに対し、第２取付部３７における基部３７ａは、表側に対応するランプ把持部２５‐Ａのほぼ中央位置に配されている。また、第２取付部３７の突部３７ｂは、その先端部が本体部２４‐Ａにおける長辺方向の端部から外側に突出することがなく、平面に視て本体部２４‐Ａの裏側に隠れるようになっている。
【００７７】
続いて、上記した両取付部３６，３７が取り付けられるシャーシ１４‐Ａ側の構造について説明する。シャーシ１４‐Ａの底板１４ａ‐Ａには、図８及び図９に示すように、両取付部３６，３７に対応した一対の取付孔４０，４１と、第１取付部３６の係止突部３９に対応した係止孔４２とがそれぞれ開口して設けられている。なお、以下では両取付孔４０，４１のうち、図９に示す左側のものを第１取付孔４０とし、同図右側のものを第２取付孔４１とする。
【００７８】
第１取付孔４０と第２取付孔４１は、第１取付部３６及び第２取付部３７に合わせて平面に見て矩形状に形成されるとともに、その長辺寸法及び短辺寸法は本体部２４‐Ａよりも小さくなっている。従って、ランプクリップ２０‐Ａを取り付けた状態では、第１取付孔４０と第２取付孔４１が本体部２４‐Ａによって閉塞されるようになっている（図１０）。係止孔４２は、シャーシ１４‐Ａの底板１４ａ‐Ａのうち、両取付孔４０，４１の間で且つ第１取付孔４０寄りの位置に配設されている。係止孔４２には、第１取付部３６の係止突部３９が進入してその縁部に係止可能とされている。なお、係止孔４２についても第１取付孔４０と第２取付孔４１と同様に本体部２４‐Ａよりも平面に見た大きさが小さく形成され、取付状態では本体部２４‐Ａによって閉塞される。また、反射シート１５‐Ａには、両取付孔４０，４１に対応して一対の挿通孔４３，４４が開口して設けられている。第１取付孔４０に対応した第１挿通孔４３は、第１取付孔４０及び係止孔４２を一括して取り囲むことができる大きさに形成されている。第２挿通孔４４は、第２取付孔４１よりもさらに大きくなる設定とされる。
【００７９】
さて、本実施形態に係るランプクリップ２０‐Ａは、実施形態１と同様に、冷陰極管１８側に露出する部分（ランプ把持部２５‐Ａ、支持ピン２６‐Ａ及び本体部２４‐Ａの表側部分２４ａ‐Ａ）については、光の反射性に優れた白色樹脂である第１の材料により形成されているのに対し、両取付部３６，３７を含めたシャーシ１４‐Ａ側を向いた部分については、遮光性に優れた黒色樹脂である第２の材料によって形成されている。つまり、取付状態において両取付孔４０，４１及び係止孔４２内に進入する両取付部３６，３７は、両取付孔４０，４１及び係止孔４２を閉塞する本体部２４‐Ａの裏側部分２４ｂ‐Ａと共に、ランプクリップ２０‐Ａのうち冷陰極管１８側に露出する部分よりも光の透過率及び反射率が低くなっている。
【００８０】
続いて、シャーシ１４‐Ａに対するランプクリップ２０‐Ａの取付作業について説明する。図１１に示すように、シャーシ１４‐Ａ内に反射シート１５‐Ａを敷設し、各挿通孔４３，４４内に対応する各取付孔４０，４１及び係止孔４２が臨むよう位置合わせしたら、ランプクリップ２０‐Ａをシャーシ１４‐Ａの底板１４ａ‐Ａに取り付ける作業を行う。各取付部３６，３７を対応する各取付孔４０，４１に対して位置合わせしつつ、ランプクリップ２０‐Ａをシャーシ１４‐Ａの底板１４ａ‐Ａへ向けて押し込む。すると、各取付部３６，３７が対応する各取付孔４０，４１内に挿入される。そして、本体部２４‐Ａの裏側の面が反射シート１５‐Ａに当接すると、図１２に示すように、各取付部３６，３７のうち突部３６ｂ，３７ｂがシャーシ１４‐Ａの底板１４ａ‐Ａの裏側に突出した状態となる。
【００８１】
この状態から、ランプクリップ２０‐Ａを本体部２４‐Ａの長辺方向に沿って図１２に示す矢線方向へスライドさせる。すると、係止突部３９が第１取付孔４０の縁部に対して裏側へ乗り上げることで、一旦第１取付部３６の突部３６ｂが弾性変形される。また、この過程では、第２取付部３７の先端部に形成されたガイド部３８が第２取付孔４１の縁部に摺接されることで、円滑なスライド動作が図られる。そして、ランプクリップ２０‐Ａが所定距離スライドしたところで、図８に示すように、係止突部３９が係止孔４２内に進入するとともに第１取付部３６の突部３６ｂが復元する。この状態では、係止突部３９の係止面が係止孔４２の縁部に係止することで、ランプクリップ２０‐Ａが取り付け時のスライド方向と逆方向、つまり抜け方向へ変位するのが規制される。そして、この取付状態では、シャーシ１４‐Ａの底板１４ａ‐Ａのうち両取付孔４０，４１の縁部が、両取付部３６，３７の突部３６ｂ，３７ｂと本体部２４‐Ａとの間で挟持されることで、ランプクリップ２０‐Ａが取付状態に保持される。
【００８２】
ところで、ランプクリップ２０‐Ａをシャーシ１４‐Ａに取り付けた状態では、図８及び図１０に示すように、各取付部３６，３７が対応する各取付孔４０，４１及び係止孔４２内に進入するとともに、各取付孔４０，４１が本体部２４‐Ａによって表側から閉塞される。そして、これら各取付部３６，３７及び本体部２４‐Ａの裏側部分２４ｂ‐Ａは、ランプクリップ２０‐Ａのうち冷陰極管１８側に露出する部分よりも光の透光率が低くなっているから、冷陰極管１８側に露出する部分を光が透過したとしても、その光が各取付孔４０，４１及び係止孔４２内に進入するのを確実に防ぐことができる。これにより、各取付孔４０，４１及び係止孔４２から光漏れが生じるのを防止することができる。
【００８３】
以上説明したように本実施形態によれば、取付部３６，３７は、本体部２４‐Ａからシャーシ１４‐Ａ側へ突出する基部３６ａ，３７ａと、基部３６ａ，３７ａから本体部２４‐Ａに沿う向きに突出する突部３６ｂ，３７ｂとから構成され、突部３６ｂ，３７ｂは、取付孔４０，４１に挿入された状態から本体部２４‐Ａに沿う向きにスライドされることで、本体部２４‐Ａとの間で取付孔４０，４１の縁部を挟持可能とされている。このようにすれば、ランプクリップ２０‐Ａをシャーシ１４‐Ａに対してスライドさせることで取り付けるタイプのものに好適となる。
【００８４】
＜実施形態３＞
本発明の実施形態３を図１３によって説明する。この実施形態３は、上記した実施形態１の変形例とも言うべきものであって、本体部２４‐Ｂにおける裏側部分２４ｂ‐Ｂを部分的に第２の材料により形成したものを示す。なお、この実施形態３では、上記した実施形態１から変更した部位には、同一の符号を用いるとともにその末尾に添え字‐Ｂを付すものとし、構造、作用及び効果について重複する説明は省略する。
【００８５】
本実施形態では、本体部２４‐Ｂにおける裏側部分２４ｂ‐Ｂのうち取付孔２１‐Ｂに対応した部分のみが第２の材料により構成されている。詳しくは、本体部２４‐Ｂにおける裏側部分２４ｂ‐Ｂ（冷陰極管側に露出する表側部分２４ａ‐Ｂを除いた部分）のうち、平面に視て取付孔２１‐Ｂよりも広い部分については、図１３に示すように、遮光性に優れた第２の材料からなる第２部３５‐Ｂとされている。第２部３５‐Ｂは、本体部２４‐Ｂの裏側部分２４ｂ‐Ｂのうち取付部２７‐Ｂの根元部分と、取付孔２１‐Ｂに重畳する部分とを含むとともに、平面に視て取付孔２１‐Ｂよりも広く且つ反射シート１５‐Ｂの挿通孔２３‐Ｂよりもさらに広い範囲に及んでいる。また、第２部３５は、平面に視てランプ把持部２５‐Ｂと重畳する範囲にわたって形成されている。一方、本体部２４‐Ｂの表側部分２４ａ‐Ｂと、裏側部分２４ｂ‐Ｂのうち上記した第２部３５‐Ｂを除いた部分とは、光の反射性に優れた第１の材料からなる第１部３４‐Ｂとなっている。本体部２４‐Ｂのうち、図１３に示す上下方向に沿った外周面の全域が第１部３４‐Ｂによって構成されており、このことは本体部２４‐Ｂにおける冷陰極管側に露出する面の全域が第１部３４‐Ｂによって構成されていることを意味する。従って、実施形態１と比べて、冷陰極管からの光をより効率的に光学部材側へ反射させることができる。
【００８６】
以上説明したように本実施形態によれば、本体部２４‐Ｂの裏側部分２４ｂ‐Ｂの全域を第２部３５‐Ｂとしなくても、取付孔２１‐Ｂに対する遮光効果として上記した実施形態１と同等の性能を発揮することができる。
【００８７】
＜実施形態４＞
本発明の実施形態４を図１４によって説明する。この実施形態４は、上記した実施形態２の変形例とも言うべきものであって、本体部２４‐Ｃにおける裏側部分２４ｂ‐Ｃを部分的に第２の材料により形成し、上記した実施形態３と同様にしたものを示す。なお、この実施形態４では、上記した実施形態２から変更した部位には、同一の符号を用いるとともにその末尾に添え字‐Ｃを付すものとし、構造、作用及び効果について重複する説明は省略する。
【００８８】
本体部２４‐Ｃにおける裏側部分２４ｂ‐Ｃ（冷陰極管側に露出する表側部分２４ａ‐Ｃを除いた部分）のうち、平面に視て第１取付孔４０‐Ｃ及び係止孔４２‐Ｃよりも広い部分については、図１４に示すように、遮光性に優れた第２の材料からなる第２部３５‐Ｃとされている。第２部３５‐Ｃは、本体部２４‐Ｃの裏側部分２４ｂ‐Ｃのうち第１取付部３６‐Ｃの根元部分と、第１取付孔４０‐Ｃ及び係止孔４２‐Ｃに重畳する部分とを含むとともに、平面に視て第１取付孔４０‐Ｃ及び係止孔４２‐Ｃよりも広く且つ反射シート１５‐Ｃの第１挿通孔４３‐Ｃよりもさらに広い範囲に及んでいる。また、第２部３５‐Ｃは、平面に視てランプ把持部２５‐Ｃと重畳する範囲よりも広い範囲にわたって形成されている。一方、本体部２４‐Ｃの表側部分２４ａ‐Ｃと、裏側部分２４ｂ‐Ｃのうち上記した第２部３５‐Ｃを除いた部分とは、光の反射性に優れた第１の材料からなる第１部３４‐Ｃとなっている。
【００８９】
なお、図１４では、本体部２４‐Ｃのうち第１取付孔４０‐Ｃ及び係止孔４２‐Ｃを閉塞する部分についてのみ図示しているが、本体部２４‐Ｃの裏側部分２４ｂ‐Ｃのうち第２取付孔を閉塞する部分についても、同様に第２の材料からなる第２部とすることができる。
【００９０】
＜実施形態５＞
本発明の実施形態５を図１５によって説明する。この実施形態５は、上記した実施形態１のさらなる変形例とも言うべきものであって、本体部２４‐Ｄにおける第２部３５‐Ｄの形成範囲を実施形態３からさらに変更したものを示す。なお、この実施形態５では、上記した実施形態１から変更した部位には、同一の符号を用いるとともにその末尾に添え字‐Ｄを付すものとし、構造、作用及び効果について重複する説明は省略する。
【００９１】
第２の材料からなる第２部３５‐Ｄは、図１５に示すように、本体部２４‐Ｄの裏側部分２４ｂ‐Ｄのうち挿通孔２３‐Ｄと重畳する部分にのみ形成されている。第２部３５‐Ｄは、本体部２４‐Ｄの裏側部分２４ｂ‐Ｄにおいて、取付部２７‐Ｄの根元部分を含みつつ平面に視て挿通孔２３‐Ｄと同じ範囲に形成され、その範囲はシャーシ１４‐Ｄの取付孔２１‐Ｄよりはやや広くなっている。一方、本体部２４‐Ｄの表側部分２４ａ‐Ｄと、裏側部分２４ｂ‐Ｄのうち上記した第２部３５‐Ｄを除いた部分とは、第１の材料からなる第１部３４‐Ｄとなっている。
上記のような構成によっても、取付孔２１‐Ｄよりも大きな挿通孔２３‐Ｄが第２部３５‐Ｄによって全域にわたって覆われているから、取付孔２１‐Ｄに対する遮光効果を十分に得ることができる。
【００９２】
＜実施形態６＞
本発明の実施形態６を図１６によって説明する。この実施形態６は、上記した実施形態２のさらなる変形例とも言うべきものであって、本体部２４‐Ｅにおける第２部３５‐Ｅの形成範囲を実施形態４からさらに変更し、実施形態５と同様にしたものを示す。なお、この実施形態６では、上記した実施形態２から変更した部位には、同一の符号を用いるとともにその末尾に添え字‐Ｅを付すものとし、構造、作用及び効果について重複する説明は省略する。
【００９３】
第２の材料からなる第２部３５‐Ｅは、図１６に示すように、本体部２４‐Ｅの裏側部分２４ｂ‐Ｅのうち第１挿通孔４３‐Ｅと重畳する部分にのみ形成されている。第２部３５‐Ｅは、本体部２４‐Ｅの裏側部分２４ｂ‐Ｅにおいて、第１取付部３６‐Ｅの根元部分を含みつつ平面に視て第１挿通孔４３‐Ｅと同じ範囲に形成され、その範囲はシャーシ１４‐Ｅの第１取付孔４０‐Ｅから係止孔４２‐Ｅにわたる範囲よりはやや広くなっている。一方、本体部２４‐Ｅの表側部分２４ａ‐Ｅと、裏側部分２４ｂ‐Ｅのうち上記した第２部３５‐Ｅを除いた部分とは、第１の材料からなる第１部３４‐Ｅとなっている。なお、図示は省略するが、本体部２４‐Ｅの裏側部分２４ｂ‐Ｅのうち第２取付孔及び第２挿通孔に対応した部分についても、上記と同様の範囲の第２部とすることができる。
上記のような構成によっても、第１取付孔４０‐Ｅ及び係止孔４２‐Ｅ（第２取付孔）よりも大きな第１挿通孔４３‐Ｅ（第２取付孔）が第２部３５‐Ｅによって全域にわたって覆われているから、第１取付孔４０‐Ｅ及び係止孔４２‐Ｅ（第２取付孔）に対する遮光効果を十分に得ることができる。
【００９４】
＜実施形態７＞
本発明の実施形態７を図１７によって説明する。この実施形態７は、上記した実施形態１のさらなる変形例とも言うべきものであって、本体部２４‐Ｆにおける第２部３５‐Ｆの形成範囲を実施形態５からさらに変更したものを示す。なお、この実施形態７では、上記した実施形態１から変更した部位には、同一の符号を用いるとともにその末尾に添え字‐Ｆを付すものとし、構造、作用及び効果について重複する説明は省略する。
【００９５】
第２の材料からなる第２部３５‐Ｆは、図１７に示すように、本体部２４‐Ｆの裏側部分２４ｂ‐Ｆのうち取付部２７‐Ｆの根元部分にのみ形成されている。第２部３５‐Ｆは、本体部２４‐Ｆの裏側部分２４ｂ‐Ｆにおいて、平面に視て取付部２７‐Ｆのうち基部３２‐Ｆと同じ範囲に形成され、その範囲は取付孔２１‐Ｆよりは狭くなっている。一方、本体部２４‐Ｆの表側部分２４ａ‐Ｆと、裏側部分２４ｂ‐Ｆのうち上記した第２部３５‐Ｆを除いた部分とは、第１の材料からなる第１部３４‐Ｆとなっている。
【００９６】
＜実施形態８＞
本発明の実施形態８を図１８によって説明する。この実施形態８は、上記した実施形態１のさらなる変形例とも言うべきものであって、取付部２７‐Ｇのみを第２の材料により形成したものを示す。なお、この実施形態８では、上記した実施形態１から変更した部位には、同一の符号を用いるとともにその末尾に添え字‐Ｇを付すものとし、構造、作用及び効果について重複する説明は省略する。
【００９７】
このランプクリップ２０‐Ｇは、図１８に示すように、本体部２４‐Ｇの全域が第１の材料により形成されているのに対し、取付孔２１‐Ｇ内に挿入される取付部２７‐Ｇについてのみが第２の材料により形成されている。取付状態において、第１の材料からなる本体部２４‐Ｇを光が僅かながらも透過したとしても、取付孔２１‐Ｇ内に進入した取付部２７‐Ｇが遮光性に優れた第２の材料によって形成されているから、光が取付孔２１‐Ｇを透過するのを抑制することができる。
【００９８】
＜他の実施形態＞
本発明は上記記述及び図面によって説明した実施形態に限定されるものではなく、例えば次のような実施形態も本発明の技術的範囲に含まれる。
【００９９】
（１）上記した各実施形態では、ランプクリップを二色成形により形成した場合を示したが、第１の材料により樹脂成形した部品と、第２の材料により樹脂成形した部品とを組み付けることで、ランプクリップを形成したものも本発明に含まれる。
【０１００】
（２）上記した各実施形態では、第１の材料と第２の材料とを色（光の透過率など）が異なる同一素材（ポリカーボネート樹脂）としたものを示したが、第１の材料と第２の材料とで素材をも異ならせるようにしてもよい。
【０１０１】
（３）上記した各実施形態では、ランプクリップを光の透過率などが異なる２種類の材料により形成した場合を示したが、ランプクリップを１種類の材料により形成し、その表面を着色することで、光の透過率などを部分的に異ならせるようにしてもよい。具体的には、ランプクリップの全体を白色樹脂により樹脂成形し、その後、取付部の表面や本体部の裏側の面に黒色の塗料を塗布して着色すればよい。逆に、ランプクリップの全体を黒色樹脂により樹脂成形し、その後、ランプ把持部や支持ピンや本体部の表側の面に白色の塗料を塗布して着色してもよい。
【０１０２】
（４）上記した各実施形態では、ランプクリップのうち冷陰極管側に露出する部分を白色にしたものを例示したが、白色以外にも乳白色など他の色に変更することもできる。また、露出部分を透明にすることも可能である。
【０１０３】
（５）上記した各実施形態では、ランプクリップのうち取付部やシャーシ側を向いた部分を黒色にしたものを例示したが、黒色以外にもグレーなど他の色に変更することもできる。
【０１０４】
（６）上記した各実施形態では、ランプクリップのうち取付部やシャーシ側を向いた部分が、冷陰極管側に露出する部分よりも、光の透過率及び反射率が共に低くなるものを例示したが、光の透過率のみが低くなるようにしてもよい。
【０１０５】
（７）上記した各実施形態以外にも、本体部における第２部（第２の材料からなる部分）の形成範囲については適宜に変更可能である。具体的には、実施形態５の変形例として、第２部が本体部の裏側部分のうち取付孔と重畳する範囲で、挿通孔より狭い範囲に形成されるようにしてもよい。それ以外にも、実施形態６の変形例として、第２部が本体部の裏側部分のうち第１取付孔及び係止孔と重畳し且つこれらに跨る範囲で、第１挿通孔より狭い範囲に形成されるようにしてもよい。なお、この構造は、第２取付孔及び第２挿通孔に対応した部分についても同様に適用できる。上記以外にも、第２部が平面に視て取付孔（第１取付孔、第２取付孔）よりも狭い範囲に形成されるものも本発明に含まれる。
【０１０６】
（８）上記した各実施形態では、取付部の全域を第２の材料により形成した場合を示したが、取付部の一部のみを第２の材料により形成したものも本発明に含まれる。
【０１０７】
（９）上記した各実施形態では、ランプ把持部に対して取付部が重畳配置されるものを示したが、ランプ把持部と取付部とが平面に視て重畳しない配置とされるものも本発明に含まれる。
【０１０８】
（１０）上記した各実施形態では、特許請求の範囲に記載した「進入部」として、シャーシに対するランプクリップの取付構造をなす取付部を例示したが、取付構造以外の部位を「進入部」とすることもできる。具体的には、ランプクリップがシャーシに開口形成された位置決め孔に対して進入することで、シャーシに対してランプクリップを本体部の板面方向について位置決め可能な位置決め部を有する場合、その位置決め部を「進入部」としてもよい。その場合、位置決め孔が特許請求の範囲に記載の「孔部」となる。
【０１０９】
（１１）上記した各実施形態以外にも、取付部の数や形状について適宜に変更可能である。また、ランプ把持部及び支持ピンの数や形状についても適宜に変更可能である。さらには、本体部の形状についても適宜に変更可能である。
【０１１０】
（１２）上記した実施形態１，２では、本体部を構成する第１部の厚さと第２部の厚さとがほぼ同じ場合を示したが、その厚さの比率については適宜に変更可能である。
【０１１１】
（１３）上記した各実施形態では、光源として冷陰極管を使用した場合を示したが、例えば熱陰極管など他の種類の光源を用いたものも本発明に含まれる。
【０１１２】
（１４）上記した各実施形態では、シャーシを金属製の板金よりなるものとしたが、樹脂成形よりなるものとしても良い。
【０１１３】
（１５）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１１４】
（１６）上記した各実施形態では、表示パネルとして液晶パネルを用いた液晶表示装置を例示したが、他の種類の表示パネルを用いた表示装置にも本発明は適用可能である。
【０１１５】
（１７）上記した各実施形態では、チューナーを備えたテレビ受信装置を例示したが、チューナーを備えない表示装置にも本発明は適用可能である。
【図面の簡単な説明】
【０１１６】
【図１】本発明の実施形態１に係るテレビ受信装置の概略構成を示す分解斜視図
【図２】液晶表示装置の概略構成を示す分解斜視図
【図３】液晶表示装置におけるランプクリップを示す断面図
【図４】シャーシにおける取付孔を示す平面図
【図５】ランプクリップの平面図
【図６】ランプクリップをシャーシに取り付けた状態を示す平面図
【図７】ランプクリップをシャーシに取り付ける前の状態を示す断面図
【図８】本発明の実施形態２に係る液晶表示装置におけるランプクリップを示す断面図
【図９】シャーシにおける取付孔及び係止孔を示す平面図
【図１０】ランプクリップをシャーシに取り付けた状態を示す平面図
【図１１】ランプクリップをシャーシに取り付ける前の状態を示す断面図
【図１２】ランプクリップをスライドさせる前の状態を示す断面図
【図１３】本発明の実施形態３に係るランプクリップを示す断面図
【図１４】本発明の実施形態４に係るランプクリップを示す断面図
【図１５】本発明の実施形態５に係るランプクリップを示す断面図
【図１６】本発明の実施形態６に係るランプクリップを示す断面図
【図１７】本発明の実施形態７に係るランプクリップを示す断面図
【図１８】本発明の実施形態８に係るランプクリップを示す断面図
【符号の説明】
【０１１７】
１０…液晶表示装置（表示装置）
１１…液晶パネル（表示パネル）
１２…バックライト装置（照明装置）
１４…シャーシ
１４ａ…底板（被着面）
１８…冷陰極管（ランプ）
２０…ランプクリップ（ランプ保持具）
２１…取付孔（孔部）
２４…本体部
２４ａ…表側部分（露出部分）
２４ｂ…裏側部分（本体部のうち露出部分を除いた部分）
２５…ランプ把持部（露出部分）
２６…支持ピン（露出部分）
２７…取付部（進入部）
３２…基部
３３…突部
３４…第１部
３５…第２部
３６…第１取付部（進入部）
３６ａ…基部
３６ｂ…突部
３７…第２取付部（進入部）
３７ａ…基部
３７ｂ…突部
４０…第１取付孔（孔部）
４１…第２取付孔（孔部）
４２…係止孔（孔部）
Ｃｂ…キャビネット
Ｈ…放熱孔
ＴＶ…テレビ受信装置
【図１】
2010009999.tif 000003
【図２】
2010009999.tif 000004
【図３】
2010009999.tif 000005
【図４】
2010009999.tif 000006
【図５】
2010009999.tif 000007
【図６】
2010009999.tif 000008
【図７】
2010009999.tif 000009
【図８】
2010009999.tif 000010
【図９】
2010009999.tif 000011
【図１０】
2010009999.tif 000012
【図１１】
2010009999.tif 000013
【図１２】
2010009999.tif 000014
【図１３】
2010009999.tif 000015
【図１４】
2010009999.tif 000016
【図１５】
2010009999.tif 000017
【図１６】
2010009999.tif 000018
【図１７】
2010009999.tif 000019
【図１８】
2010009999.tif 000020